(57)【要約】【課題】従来の食品や野菜の種等の収納袋は中身の商品が見えないので、封を切らずに中味が見える透明窓付き収納袋を提供する。【解決手段】収納袋１の素材が、透明で帯状を成す合成樹脂フイルム面に、アルミ蒸着幕による幅の広い不透明部２と幅の狭い非アルミ蒸着による透明部３を交互に形成して成る合成樹脂フイルムシート４を形成し、その合成樹脂フイルムシート４によって収納袋１を形成することで、その収納袋１の一部に透明部３を形成して成る透明窓付き収納袋１とする。【選択図】図１
2012126455.tif 000002
【特許請求の範囲】
【請求項１】
食品や花や野菜の種等を収める袋の一部が透明な収納袋であって、前記する収納袋の素材が、透明で帯状を成す合成樹脂フイルム面に、アルミ蒸着幕による幅の広い不透明部と幅の狭い非アルミ蒸着による透明部を交互に形成して成る合成樹脂フイルムシートを形成し、その合成樹脂フイルムシートによって収納袋形成することで、その収納袋の一部に幅の狭い透明部を形成することで、中味の商品が見える構成を特徴とする透明窓付き収納袋。
【請求項２】
前記する透明部を、収納袋の表裏面の上下いずれかの端部に形成した請求項１に記載する透明窓付き収納袋。
【請求項３】
前記する透明部を、収納袋の片面の一部に形成して成る請求項１に記載する透明窓付き収納袋。
【発明の詳細な説明】
【技術分野】
【０００１】  本発明は、収納袋の内側面に湿気を通さないアルミ蒸着膜を施した袋に、内部の商品が分かる透明窓を設けた収納袋に関する。
【背景技術】
【０００２】  従来、お菓子等食品や花や野菜等の種は湿気を極力防ぐ必要があるため、袋を形成するシート又はフイルム（以下、フイルムと称する）の内側にアルミニュームを真空蒸着した袋に内容物を封入している。【０００３】  また、ゴミ収納袋に不透明部分と透明部分を形成することで、中身のゴミの種類を見て缶やガラスなどによる危険を防ぐためのゴミ袋の技術も提供されている。（例えば、特許文献１参照）
【特許文献１】実開平７−２８１０２公報
【発明の開示】
【発明が解決しようとする課題】
【０００４】  従来の食品収納袋は、中身の食品の湿気による変質や劣化を防ぐために、湿気を通さないアルミを真空蒸着処理した袋に商品を収めているのが一般的である。【０００５】  しかしこの収納袋の内側はアルミを真空蒸着処理により全体が銀色で内部は見えないので、購入するお客は中味が変色したり異物が入っていても分からず製造会社や賞味期限等を信用して購入するのが一般的で、中身が見えない等の不便や欠点があった。【０００６】  また実開平７−２８１０２公報に開示されている袋は、廃棄するためのゴミ収納袋に不透明部分と透明部分を形成することで、中身のゴミの種類を外から見て危険を防げるゴミ袋の技術である。【０００７】  しかしこの技術は透明部と不透明部を縞状に交互に有する合成樹脂製の袋において、そのゴミ袋の両表面の透明層中間層からなる三層構成であり、中間層には全層にわたって炭酸カルシュームを配合して、かつ中間が透明層と不透明層を交互に配したゴミ袋であるためごみ袋の場合はよいが、食品等を収納する袋には全く適さない等の不便や欠点があった。
【課題を解決するための手段】
【０００８】  本発明による収納袋は従来の不便や欠点を解消するために、請求項１においては、収納袋の素材が、透明で帯状を成す合成樹脂フイルム面に、アルミニューム（以下、アルミと称す）蒸着幕による幅の広い不透明部と幅の狭い非アルミ蒸着による透明部を交互に形成して成る合成樹脂フイルムシートを形成し、その合成樹脂フイルムシートによって収納袋形成することで、その収納袋の一部に幅の狭い透明部を形成することで、中味の商品が見える構成を特徴とする透明窓付き収納袋とする【０００９】  請求項２においては、前記する透明部を、収納袋の上下いずれかの端部に形成した透明窓付き収納袋とする。【００１０】  請求項３においては、前記する透明部を、収納袋の片面の一部に形成して成る透明窓付き収納袋とする。
【発明の効果】
【００１１】  本発明による透明窓付き収納袋は、袋の内側面に湿気を通さないアルミを真空蒸着した不透明部とともに、幅の狭い透明部を施しているので、光はもとより湿気も極めて通しにくいため内部の食品や野菜の種が湿気で傷んだり変色する心配が全く無い袋である。また透明部は極めて幅が狭いので仮に照明や太陽の光が当たっても最小限で済む。【００１２】  しかもこの収納袋の表裏面の上下いずれかの端部寄りにはアルミを真空蒸着を施さない幅の狭い帯状の透明部を設けているので、封を切らずに中身が表裏面から一目で見ることができるため、お客様は中味を見て安心して購入できる従来には見られない食品や野菜の種等の収納袋である。
である。【００１３】  加えて、実施例２タイプは収納袋の片面にのみ透明部を設けているので、中身の商品が光が当たると好ましくない場合は、透明側を下向きにして置くとその心配は全く無いし、透明部は片面のみであるので２倍の大きさになるため中味が見やすい収納袋として提供できる。
【図面の簡単な説明】
【００１４】
【図１】本発明による収納袋の実施形態を、実施例１の収納袋を示す斜視図である。
【図２】本発明の実施例１の収納袋の素材を示す合成樹脂フイルムシートの平面図である。
【図３】本発明による実施例１の収納袋の製作手順を（イ）（ロ）（ハ）（二）に示す製作図である。
【発明を実施するための最良の形態】
【００１５】  本発明による収納袋の実施形態による透明窓付き収納袋は、収納袋の一部に透明部を設けることで購入する前に内部の商品を見ることができる収納袋とする。
【実施例１】
【００１６】  本発明による収納袋の実施形態を示す実施例１を、図１に示す収納袋を示す斜視図と図２の収納袋の素材となる合成樹脂フイルムシート、図３に示す本発明による収納袋の製作手順を示す図で説明する。【００１７】  本発明による実施例１の収納袋１は、食品や野菜の種等を収納する収納袋１であって、図１に示すものは野菜の種の収納袋１として説明する。
まず前記する収納袋１は、合成樹脂フイルムの裏面にアルミ蒸着幕による不透明部２と非アルミ蒸着による透明部３を交互に施した合成樹脂フイルムシート４によって、矩形状を成す収納袋１の上下一方端部寄りの表裏面に、中身が見える透明部３，３を設け、その周囲を熱溶着による接着部５，５，５，５よって成る収納袋１を形成し、かつその収納袋１の表側には中身の食品または野菜等の商品表示６を印刷し、背面にはそれらの栽培方法等（表示をしない）を表示して成る透明窓付きの収納袋１を構成する。【００１８】  以上のような収納袋１を形成するが、さらにその素材となる合成樹脂フイルムシート４及び収納袋１の製作手順を図３の（イ）（ロ）（ハ）（ニ）図で説明する。【００１９】  まず、本発明による収納袋１は、図２に示すように透明なポリエチレンやポリプロピレンその他の合成樹脂フイルム（以下、合成樹脂フイルムと称す）による帯状で、かつ透明な合成樹脂フイルムの裏面の一方端部から、例えば、図２に示すように長さ約１５０ｍｍ幅面にアルミ蒸着による不透明部２を施し、その次は、幅約３０ｍｍ幅面の非アルミ蒸着による透明部３を交互に形成した合成樹脂フイルムシート４の一方の不透明部２端部から次の透明部３を挟んで成る次の不透明部２Ａの端部のカット部Ａを切り離して、前記の透明部３が中央に位置するように切断した合成樹脂フイルムシート４を形成する。【００２０】  次に、その合成樹脂フイルムシート４によって図１に示すように、前記透明部３の真ん中の折り線Ｂ部を図３の（イ）に示すように二つ折りして後、その周囲３辺を熱圧着による接着部５，５，５を施して、一方に開口７する（ロ）のような袋体を形成し、その袋体の開口７部より、（ハ）のように野菜の種Ｃを入れてから、前記開口７部を熱圧着による接着部５を施すことで、袋の上下いずれかの表裏面端部に幅の狭い透明部３，３を形成し、かつその他の面は不透明部２，２Ａとなる実施例１の透明窓付きの収納袋１を形成する。
【実施例２】
【００２１】  本発明による収納袋の実施例２を図に示す（イ）の正面斜視図と（ロ）の背面斜視図で説明する。
実施例２に示す収納袋１は、前記実施例１と同様に合成樹脂フイルムシート４にアルミ蒸着による不透明部２と非アルミ蒸着による透明部３を交互に形成した合成樹脂フイルムシート４を用いて袋体を製作するが、実施例２においては、前記実施例１の合成樹脂フイルムシート４の一方の不透明部２端部から透明部３を挟んだ次の不透明部２Ａの端部より手前、つまり次の透明部３Ａの幅分手前でカットした合成樹脂フイルムシート４Ａとし、かつ折り線Ｂは最初の透明部３寄りの不透明部２端部で折り曲げてから、前記実施例１と同様に左右及び折り線Ｂ側の３辺を接着して後、中身の商品を入れてから開口６部を接着して成る実施例２の収納袋１を構成する。【００２２】  実施例２の収納袋１は以上のような方法で製作されるので、製造された収納袋１に商品を入れた正面側は（イ）のように全面がアルミ蒸着された不透明部２となり、背面は（ロ）のように上下いずれかの一部が透明部３となる収納袋１を形成する。尚、この場合の透明部３は片面のみであるので、前記実施例１タイプの２倍の幅となる。【００２３】  本発明による幅が広い不透明部２と、幅の狭い透明部３が交互に形成したロール状タイプの合成樹脂フイルムシート４を目的の長さに合うようにカットしたものを二つ折りして重ねてから袋体を形成するが、袋体の表面側と背面側それぞれを個別にカットしたものを重ねて袋体を形成する方法でもよく、その収納袋１の製作方法は問わないものとする。
【符号の説明】
【００２４】１  収納袋
２  不透明部
２Ａ  不透明部
３  透明部
３Ａ  透明部
４  合成樹脂フイルムシート
５  接着部
６  商品表示
７  開口
Ａ  カット部
Ｂ  折り線
Ｃ  野菜の種
【図１】
2012126455.tif 000003
【図２】
2012126455.tif 000004
【図３】
2012126455.tif 000005
【図４】
2012126455.tif 000006
【図５】
2012126455.tif 000007
【手続補正書】
【提出日】平成23年2月12日(2011.2.12)
【手続補正１】
【補正対象書類名】明細書
【補正対象項目名】００１４
【補正方法】変更
【補正の内容】
【００１４】
【図１】本発明による収納袋の実施形態を、実施例１の収納袋を示す斜視図である。
【図２】本発明による実施例１の収納袋の素材を示す合成樹脂フイルムシートの平面図である。
【図３】本発明による実施例１の収納袋の製作手順を（イ）（ロ）（ハ）（ニ）に示す製作図である。
【図４】本発明による収納袋の実施例２を示す収納袋示す合成樹脂フイルムシートの平面図である。
【図５】本発明による実施例１の収納袋を示す（イ）の正面斜視図と（ロ）の背面斜視図で説明する。